(57)【要約】【課題】適切なタイミングにおいて、アンテナ経路のインピーダンスを変更することができる携帯通信端末を提供する。【解決手段】複数のアンテナ１０７ａ、１０７ｂを用いて通信を行う携帯通信端末１００は、利用者による接触位置を検出する側面タッチセンサ１０４、前記接触位置が変化したか否かを判断する判断部１０６ａ、前記接触位置が変化したと判断される場合に、前記複数のアンテナ１０７ａ、１０７ｂにより受信した信号間の相関値を計算する相関計算部１１２、計算により得られた前記相関値と閾値とを比較する比較部１０６ｂ及び前記相関値が前記閾値より大きい場合に、各アンテナ経路のインピーダンスを変更する調整回路１０８ａ、１０８ｂを備える。【選択図】図３
2014138285.tif 000002
【特許請求の範囲】
【請求項１】
複数のアンテナを用いて通信を行う携帯通信端末であって、
利用者による接触位置を検出する検出部と、
前記接触位置が変化したか否かを判断する判断部と、
前記接触位置が変化したと判断される場合に、前記複数のアンテナにより受信した信号間の相関値を計算する計算部と、
計算により得られた前記相関値と閾値とを比較する比較部と、
前記相関値が前記閾値より大きい場合に、各アンテナ経路のインピーダンスを変更する調整部と
を備えることを特徴とする携帯通信端末。
【請求項２】
前記計算部は、さらに、前記調整部によりインピーダンスが変更された後、各アンテナにより受信した信号間の相関値を再度、計算し、
前記比較部は、さらに、再度得られた前記相関値と前記閾値とを比較し、
前記調整部は、さらに、再度得られた前記相関値が前記閾値より大きい場合に、各アンテナ経路のインピーダンスを変更し、再度得られた前記相関値が前記閾値より小さい又は前記閾値と等しい場合に、各アンテナ経路のインピーダンスの変更を行わない
ことを特徴とする請求項１に記載の携帯通信端末。
【請求項３】
前記携帯通信端末は、さらに、
計算により得られる前記相関値が前記閾値よりも小さく又は前記閾値と等しくなるまで、前記相関値と前記閾値との比較及び各アンテナ経路のインピーダンスの変更を繰り返すように、前記比較部及び前記調整部を制御する制御部を含む
ことを特徴とする請求項２に記載の携帯通信端末。
【請求項４】
前記携帯通信端末は、さらに、
前記相関値と前記閾値との比較及び各アンテナ経路のインピーダンスの変更を、規定された回数以内、繰り返すように、前記比較部及び前記調整部を制御し、
規定された回数以内に、計算により得られる前記相関値が前記閾値よりも小さく又は前記閾値と等しくなる場合、それ以降の前記比較及び前記変更を停止させ、
規定された回数の繰り返しの最後の計算により得られた前記相関値が前記閾値よりも大きい場合、繰り返しの中において算出された最も小さい相関値に対応して変更されたインピーダンスを設定するように、前記調整部を制御する制御部を含む
ことを特徴とする請求項２に記載の携帯通信端末。
【請求項５】
前記判断部は、検出された前記接触位置と、直前に検出された接触位置とを比較することにより、接触位置の変化を判断する
ことを特徴とする請求項１に記載の携帯通信端末。
【請求項６】
前記検出部は、当該携帯通信端末の側面に設けられている
ことを特徴とする請求項１に記載の携帯通信端末。
【請求項７】
前記携帯通信端末は、さらに、
前記接触位置が変化したと判断される場合に、利用者による当該携帯通信端末の持ち方を特定する特定部と、
前記相関値が前記閾値より大きい場合に、特定された持ち方に対応する各アンテナ経路のインピーダンスの変動量を取得する取得部とを含み、
前記調整部は、取得した前記変動量により、各アンテナ経路のインピーダンスを変更する
ことを特徴とする請求項１に記載の携帯通信端末。
【請求項８】
複数のアンテナを用いて通信を行う携帯通信端末を制御する制御方法であって、
利用者による接触位置を検出する検出ステップと、
前記接触位置が変化したか否かを判断する判断ステップと、
前記接触位置が変化したと判断される場合に、前記複数のアンテナにより受信した信号間の相関値を計算する計算ステップと、
計算により得られた前記相関値と閾値とを比較する比較ステップと、
前記相関値が前記閾値より大きい場合に、各アンテナ経路のインピーダンスを変更する調整ステップと
を含むことを特徴とする制御方法。
【請求項９】
複数のアンテナを用いて通信を行う携帯通信端末を制御する制御用のコンピュータプログラムを記録しているコンピュータ読取可能な記録媒体であって、
前記コンピュータプログラムは、
コンピュータである前記携帯通信端末に、
前記接触位置が変化したか否かを判断する判断ステップと、
前記接触位置が変化したと判断される場合に、前記複数のアンテナにより受信した信号間の相関値を計算する計算ステップと、
計算により得られた前記相関値と閾値とを比較する比較ステップとを実行させ、
前記携帯通信端末は、前記相関値が前記閾値より大きい場合に、各アンテナ経路のインピーダンスを変更する調整部を備える
ことを特徴とするコンピュータプログラムを記録している記録媒体。
【請求項１０】
複数のアンテナを用いて通信を行う携帯通信端末であって、
加速度を検出する加速度センサと、
検出された前記加速度を用いて、当該携帯通信端末の動きが停止したか否かを判断する判断部と、
当該携帯通信端末の動きが停止したと判断される場合に、前記複数のアンテナにより受信した信号間の相関値を計算する計算部と、
計算により得られた前記相関値と閾値とを比較する比較部と、
前記相関値が前記閾値より大きい場合に、各アンテナ経路のインピーダンスを変更する調整部と
を備えることを特徴とする携帯通信端末。
【請求項１１】
複数のアンテナを用いて通信を行う携帯通信端末により用いられる制御方法であって、
加速度を検出する加速度検出ステップと、
検出された前記加速度を用いて、当該携帯通信端末の動きが停止したか否かを判断する判断ステップと、
当該携帯通信端末の動きが停止したと判断される場合に、前記複数のアンテナにより受信した信号間の相関値を計算する計算ステップと、
計算により得られた前記相関値と閾値とを比較する比較ステップと、
前記相関値が前記閾値より大きい場合に、各アンテナ経路のインピーダンスを変更する調整ステップと
を含むことを特徴とする制御方法。
【請求項１２】
複数のアンテナを用いて通信を行う携帯通信端末で用いられる制御用のコンピュータプログラムを記録しているコンピュータ読取可能な記録媒体であって、
前記コンピュータプログラムは、
コンピュータである前記携帯通信端末に、
加速度を検出する加速度センサにより検出された前記加速度を用いて、当該携帯通信端末の動きが停止したか否かを判断する判断ステップと、
当該携帯通信端末の動きが停止したと判断される場合に、前記複数のアンテナにより受信した信号間の相関値を計算する計算ステップと、
計算により得られた前記相関値と閾値とを比較する比較ステップと
を実行させ、
前記携帯通信端末は、前記相関値が前記閾値より大きい場合に、各アンテナ経路のインピーダンスを変更する調整部を備える
ことを特徴とするコンピュータプログラムを記録している記録媒体。
【請求項１３】
複数のアンテナを用いて通信を行う携帯通信端末であって、
利用者による当該携帯通信端末の持ち方を特定する特定部と、
前記複数のアンテナにより受信した信号間の相関値を計算する計算部と、
計算により得られた前記相関値と閾値とを比較する比較部と、
前記相関値が前記閾値より大きい場合に、特定された持ち方に対応する各アンテナ経路のインピーダンスの変動量を取得する取得部と、
取得した前記変動量により、各アンテナ経路のインピーダンスを変更する調整部と、
を備えることを特徴とする携帯通信端末。
【請求項１４】
前記取得部は、当該携帯通信端末から見て送信装置が第１の方向に存在する場合における前記変動量を取得し、
各アンテナ経路のインピーダンスが変更された後において、前記計算部は、さらに、前記複数のアンテナにより受信した信号間の第２相関値を計算し、
前記比較部は、さらに、計算により得られた前記第２相関値と前記閾値とを比較し、
前記第２相関値が前記閾値より大きい場合に、前記取得部は、さらに、当該携帯通信端末から見て送信装置が第２の方向に存在する場合における第２変動量を取得し、
前記調整部は、さらに、取得した前記第２変動量により、各アンテナ経路のインピーダンスを変更する
ことを特徴とする請求項１３に記載の携帯通信端末。
【請求項１５】
前記携帯通信端末は、さらに、
利用者による接触位置を検出する検出部を含み、
前記特定部は、検出された接触位置を用いて、前記持ち方を特定する
ことを特徴とする請求項１３に記載の携帯通信端末。
【請求項１６】
複数のアンテナを用いて通信を行う携帯通信端末を制御する制御方法であって、
利用者による当該携帯通信端末の持ち方を特定する特定ステップと、
前記複数のアンテナにより受信した信号間の相関値を計算する計算ステップと、
計算により得られた前記相関値と閾値とを比較する比較ステップと、
前記相関値が前記閾値より大きい場合に、特定された持ち方に対応する各アンテナ経路のインピーダンスの変動量を取得する取得ステップと、
取得した前記変動量により、各アンテナ経路のインピーダンスを変更する調整ステップと
を含むことを特徴とする制御方法。
【請求項１７】
複数のアンテナを用いて通信を行う携帯通信端末で用いられる制御用のコンピュータプログラムを記録しているコンピュータ読取可能な記録媒体であって、
前記コンピュータプログラムは、
コンピュータである前記携帯通信端末に、
利用者による当該携帯通信端末の持ち方を特定する特定ステップと、
前記複数のアンテナにより受信した信号間の相関値を計算する計算ステップと、
計算により得られた前記相関値と閾値とを比較する比較ステップと、
前記相関値が前記閾値より大きい場合に、特定された持ち方に対応する各アンテナ経路のインピーダンスの変動量を取得する取得ステップとを実行させ、
前記携帯通信端末は、取得した前記変動量により、各アンテナ経路のインピーダンスを変更する調整部を備える
ことを特徴とするコンピュータプログラムを記録している記録媒体。 
【発明の詳細な説明】
【技術分野】
【０００１】
本発明は、複数のアンテナを用いて通信を行う携帯通信端末を制御する技術に関する。
【背景技術】
【０００２】
携帯通信端末では、周辺の環境変化や利用者の使用状態の変化に起因して、アンテナの入力インピーダンスが変化することが知られている。この結果、インピーダンスの不整合が生じ、送受信特性が劣化する（特許文献２）。
特許文献１には、第１筐体と第２筐体とが重なり合うように、ヒンジを中心として折り畳まれたクローズスタイルと、両筐体が開かれたオープンスタイルとを取り得る携帯通信端末が開示されている。第１筐体及び第２筐体には、それぞれ、複数のアンテナが配置されている。この携帯通信端末は、複数のアンテナの組合せから、他の組合せが有する相関よりも低い相関を有するアンテナの組合せを、スタイルに応じて選択する。これにより、使用するスタイルが変化した場合であっても、通信効率の低下を防止できる。
【０００３】
しかし、使用するスタイルだけでなく、利用者による携帯通信端末の持ち方によっても、アンテナのインピーダンスが変化する。このような場合、特許文献１により開示された技術を適用しても、適切なアンテナの組合せを選択することはできない。その結果、送受信特性が劣化するという問題がある。
このような問題を解決するために、特許文献２には、ＭＩＭＯ（Multi-Input Multi-Output）伝送に対応可能な携帯通信端末が開示されている。この携帯通信端末は、上りリンクの特性値及び下りリンクの特性値を変数とする評価関数を用いて評価量を算出する。ここで、特性値は、一例として、伝送容量である。次に、算出された評価量に基づいて、一つ以上のアンテナの負荷インピーダンス値を制御する。この技術により、周辺環境や利用者の使用状態に応じて、携帯通信端末の入力インピーダンスが変化した場合に、上りリンク及び下りリンクの性能を改善することができる。
【先行技術文献】
【特許文献】
【０００４】
【特許文献１】特開２０１１−２３４２８６号公報
【特許文献２】特開２０１１−１８８３８５号公報
【発明の概要】
【発明が解決しようとする課題】
【０００５】
しかし、複数のアンテナを用いて通信を行う場合に、通信品質を向上するため、様々な技術が要望されている。
本発明は、上記の要望に応え、通信品質を向上することができる携帯通信端末及び制御方法を提供することを目的とする。
【課題を解決するための手段】
【０００６】
上記目的を達成するため、本発明の一態様は、複数のアンテナを用いて通信を行う携帯通信端末であって、利用者による接触位置を検出する検出部と、前記接触位置が変化したか否かを判断する判断部と、前記接触位置が変化したと判断される場合に、前記複数のアンテナにより受信した信号間の相関値を計算する計算部と、計算により得られた前記相関値と閾値とを比較する比較部と、前記相関値が前記閾値より大きい場合に、各アンテナ経路のインピーダンスを変更する調整部とを備えることを特徴とする。
【発明の効果】
【０００７】
この態様によると、利用者による携帯通信端末に対する接触位置の変化を検出した場合に、複数のアンテナにより受信した信号間の相関値に応じて、アンテナ経路のインピーダンスを変更する。これにより経路間の相関関係が変わって通信品質を向上することができるという優れた効果を奏する。
【図面の簡単な説明】
【０００８】
【図１】本発明の実施の形態１としての携帯通信端末１００の外観を示す外観斜視図である。分解された側面パネル１０４ａ及び１０４ｂを含み、さらに、側面パネル１０４ａの一部分の拡大分解図を含む。
【図２】バースト信号のフォーマットの構成例を示す。
【図３】携帯通信端末１００の構成を示すブロック図である。
【図４】利用者の手による携帯通信端末１００の保持の態様（その１）を示す。
【図５】利用者の手による携帯通信端末１００の保持の態様（その２）を示す。
【図６】利用者の手による携帯通信端末１００の保持の態様（その３）を示す。
【図７】利用者の手による携帯通信端末１００の保持の態様（その４）を示す。
【図８】変動量テーブル３００のデータ構造の一例を示す。
【図９】調整回路１０８ａの構成を示す回路図の一例である。
【図１０】携帯通信端末１００における相関値の算出及びアンテナ経路のインピーダンスの変更の動作を示すフローチャートである。
【図１１】携帯通信端末１００における相関値の算出の動作を示すフローチャートである。
【図１２】変形例（１）としての携帯通信端末１００における相関値の算出及びアンテナ経路のインピーダンスの変更の動作を示すフローチャートである。
【図１３】変形例（２）としての携帯通信端末１００における相関値の算出及びアンテナ経路のインピーダンスの変更の動作を示すフローチャートである。
【図１４】変形例（３）としての携帯通信端末１００における相関値の算出及びアンテナ経路のインピーダンスの変更の動作を示すフローチャートである。
【図１５】本発明の実施の形態２の携帯通信端末１００ｂが有する接触タイプ情報テーブル５００のデータ構造の一例を示す。
【図１６】携帯通信端末１００ｂと送信装置との位置関係の例を示す。
【図１７】携帯通信端末１００ｂが有する変動量テーブル６００のデータ構造の一例を示す。
【図１８】携帯通信端末１００ｂにおいて、相関値を算出し、アンテナ経路のインピーダンスを変更する動作を示すフローチャートである。
【図１９】携帯通信端末１００ｂにおいて、持ち方のタイプを特定する動作を示すフローチャートである。
【図２０】本発明の変形例としての携帯通信端末１００ａの外観を示す外観斜視図である。分解された側面パネル１０４ａ、１０４ｂ、１０４ｃ及び１０４ｄを含み、さらに、側面パネル１０４ａの一部分の拡大分解図を含む。
【発明を実施するための形態】
【０００９】
１．実施の形態１
本発明の実施の形態１としての携帯通信端末１００について説明する。
１．携帯通信端末１００
携帯通信端末１００は、図１にその外観の形状を示すように、携帯電話機に代表され、無線による通信を行う小型の通信端末装置である。携帯通信端末１００は、複数のアンテナ（一例として、本実施の形態１では、２本のアンテナ）を備えている。
【００１０】
携帯通信端末１００は、複数のアンテナを備える送信装置（図示していない）から送信される信号を受信する。
送信装置と携帯通信端末１００とは、ＭＩＭＯシステム（図示していない）を構成する。このＭＩＭＯシステムは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式によって信号を伝送する。送信装置が備える複数のアンテナのそれぞれは、独立した信号を伝送する。伝送される信号はバースト信号を形成している。当該バースト信号の先頭部分にはプリアンブルが配置されている。当該バースト信号を受信した携帯通信端末１００は、プリアンブルに基づいて、ＡＧＣ（Ａｕｔｏｍａｔｉｃ  Ｇａｉｎ  Ｃｏｎｔｒｏｌ）の設定、タイミング同期、キャリア再生等を実行する。また、携帯通信端末１００は、空間信号処理により、受信した信号を分離して、所望の信号を復調する。
【００１１】
このＭＩＭＯシステムにおいては、一例として、５３個のサブキャリアを用いる。
一つの送信端末は、５３個のサブキャリアのうち、一例として、２４個のサブキャリアを用いて、信号を伝送する。ここで、前記送信端末は、携帯通信端末１００が通信を所望する送信端末である。
図２にバースト信号のフォーマットの構成例を示す。図２に示すバースト信号２０１においては、先頭から、プリアンブル２０２、シグナル２０３及びデータ２０４が配置される。プリアンブル２０２は、受信装置において、ＡＧＣの設定、タイミング同期、キャリア再生等のために用いられる既知信号である。シグナル２０３は、制御信号である。プリアンブル２０２は、ＳＴＳ（Ｓｈｏｒｔ Ｔｒａｉｎｉｎｇ Ｓｅｑｕｅｎｃｅ）２０５及びＬＴＳ（Ｌｏｎｇ Ｔｒａｉｎｉｎｇ Ｓｅｑｕｅｎｃｅ）２０６を含む。ＳＴＳ２０５は、１０個の信号の単位２１１「ｔ１」、単位２１２「ｔ２」、・・・、単位「ｔ１０」によって構成されている。また、ＬＴＳ２０６は、ガードインターバル２１５「ＧＩ２」と、二つの信号の単位２１６「Ｔ１」及び単位２１７「Ｔ２」とによって構成されている。
【００１２】
携帯通信端末１００は、図３に示すように、切断回路１０１、加速度センサ１０２、表面タッチセンサ１０３、側面タッチセンサ１０４、記憶部１０５、制御部１０６、アンテナ１０７ａ、１０７ｂ、調整回路１０８ａ、１０８ｂ、送受信回路１０９及び図示していないその他の回路から構成されている。送受信回路１０９は、無線部１１０ａ、１１０ｂ及び処理部１１１を含んでいる。
【００１３】
携帯通信端末１００において、それぞれ直交するＸ軸、Ｙ軸及びＺ軸を次のように定義する。携帯通信端末１００の表示面を含む平面上において、携帯通信端末１００の筐体の長手方向に、Ｙ軸を定義する。また、前記平面上において、Ｙ軸に垂直方向に、Ｘ軸を定義する。さらに、Ｘ軸及びＹ軸に垂直方向に、Ｚ軸を定義する。
１．１  側面タッチセンサ１０４
側面タッチセンサ１０４は、伝導体である利用者の指や掌等による一軸方向の接触位置を検出する一次元の静電容量センサである。側面タッチセンサ１０４は、側面パネル１０４ａ及び１０４ｂを含んでいる。利用者が側面パネル１０４ａ及び１０４ｂに接触すると、側面パネル１０４ａ及び１０４ｂの静電容量が変化する。側面パネル１０４ａ及び１０４ｂの静電容量が変化すると、側面タッチセンサ１０４は、側面パネル１０４ａ及び１０４ｂにおいて静電容量の変化を検出した位置を取得する。次に、側面タッチセンサ１０４は、取得した位置を示す位置情報を制御部１０６に対して出力する。
【００１４】
なお、側面タッチセンサ１０４は、利用者の指や掌等による二次元の平面における接触位置を検出する二次元の静電容量センサであるとしてもよい。
携帯通信端末１００の筐体の長手方向の側板１３１を貫通して長尺の矩形形状の長孔１３２が開けられている。側面パネル１０４ａは、長孔１３２に嵌合するように、設けられている。側面パネル１０４ｂも、側面パネル１０４ａと同様に、側板１３１とは反対側の側板１３３に設けられている。
【００１５】
また、図１に示すように、長孔１３２に嵌合するように長尺の矩形形状に形成された基板１２４上に、複数の帯状の導体１２１、１２２、１２３、・・・が、基板１２４の長手方向に対して垂直方向に並行して配される態様で、接着剤により接着されている。さらに、導体１２１、１２２、１２３、・・・が接着された基板１２４の面上に、基板１２４と同形に形成された基板１２５が、接着剤により接着されている。このように、側面パネル１０４ａは、基板１２４と基板１２５との間に、導体１２１、１２２、１２３、・・・を挟着して、形成されている。
【００１６】
なお、導体１２１、１２２、１２３、・・・は、それぞれ、スパッタリングにより又は印刷処理により、基板１２４上に蒸着される、としてもよい。
ここで、基板１２４及び基板１２５は、電気的に絶縁されている。基板１２４及び基板１２５の材料の例は、ポリエステルフィルム、ガラス、ポリカーボネートプラスティック等を含む。しかし、これらに限定されるものではない。また、導体１２１、１２２、１２３、・・・及び基板１２５の接着に用いられる接着剤も電気的に絶縁された材料からなる。さらに、導体１２１、１２２、１２３、・・・の材料の例は、導体プラスティック、銀、金、アルミニウム等を含む。しかし、これらに限定されるものではない。
【００１７】
以下において、導体１２１、１２２、１２３、・・・を、それぞれ、センサトレース１２１、１２２、１２３、・・・と呼ぶ。
側面パネル１０４ｂについても、側面パネル１０４ａと同様に形成されている。
側面タッチセンサ１０４は、側面パネル１０４ａ及び側面パネル１０４ｂに配された全てのセンサトレースの静電容量値を測定する。次に、利用者の指や掌等に覆われたセンサトレース又はその近くのセンサトレースの静電容量値の変化に基づいて、指や掌等の接触位置を取得する。次に、側面タッチセンサ１０４は、指や掌等の側面パネル１０４ａ及び側面パネル１０４ｂに対する接触位置（一次元座標値）を示す位置情報を、制御部１０６に対して、出力する。
【００１８】
側面パネル１０４ａ及び側面パネル１０４ｂに対して、指や掌等により、複数の箇所において接触がされたとき、側面タッチセンサ１０４は、その複数の箇所のそれぞれにおける接触位置を示す位置情報を出力する。
（携帯通信端末１００の持ち方の例）
次に、携帯通信端末１００の持ち方の例について説明する。
【００１９】
利用者が携帯通信端末１００を左手の５本の指と掌で支えて持つ場合の例を図４に示す。この場合には、利用者の人差指４０３、中指４０４、薬指４０５及び小指４０６が側面パネル１０４ａに接触し、親指４０１及び掌４０２が側面パネル１０４ｂに接触している。従って、側面タッチセンサ１０４は、側面パネル１０４ａ上の４箇所４１３、４１４、４１５、４１６において、接触位置を検出する。また、側面パネル１０４ｂ上の２箇所４１１、４１２において、接触位置を検出する。
【００２０】
次に、利用者が携帯通信端末１００を横向きにして、両手で支えて持つ場合の例を図５に示す。この場合には、利用者の左手の人差指４２１及び右手の人差指４２２が側面パネル１０４ａに接触している。また、利用者の左手の親指４２３及び右手の親指４２４が側面パネル１０４ｂに接触している。従って、側面タッチセンサ１０４は、側面パネル１０４ａ上の２箇所４３１、４３２において、接触位置を検出する。また、側面パネル１０４ｂ上の２箇所４３３、４３４において、接触位置を検出する。
【００２１】
次に、利用者が携帯通信端末１００を横向きにして、右手で支えて持つ場合の例を図６に示す。この場合には、利用者の右手の人差指４４３、中指４４２及び薬指４４１が側面パネル１０４ａに接触している。また、利用者の右手の親指４４４が側面パネル１０４ｂに接触している。従って、側面タッチセンサ１０４は、側面パネル１０４ａ上の３箇所４５１、４５２、４５３において、接触位置を検出する。また、側面パネル１０４ｂ上の１箇所４５４において、接触位置を検出する。
【００２２】
次に、利用者が携帯通信端末１００を左手で支えて持つ場合の例を図７に示す。この場合には、利用者は、携帯通信端末１００の底面を左手の掌４６２の上に乗せ、利用者の左手の親指４６１で携帯通信端末１００の表示面を押さえている。こうして、利用者は、携帯通信端末１００を支えている。つまり、側面パネル１０４ａ及び１０４ｂには、利用者の手は接触していない。従って、この場合には、側面タッチセンサ１０４によって、接触位置は、検出されない。
【００２３】
１．２  記憶部１０５
記憶部１０５は、一例として、不揮発性の半導体メモリから構成されている。
記憶部１０５は、１個又は複数個の位置情報を記憶するための領域を備えている。各位置情報は、利用者の指や掌等による側面パネル１０４ａ及び１０４ｂに対する接触位置を示す。
【００２４】
また、記憶部１０５は、時刻情報及び加速度情報からなる１個の組又は複数個の組を記憶するための領域を備えている。時刻情報は、時刻を示す。加速度情報は、対応する時刻情報により示される時刻において、加速度センサ１０２により検出された携帯通信端末１００のＸ軸、Ｙ軸及びＺ軸方向の加速度を示す。
また、記憶部１０５は、変動量テーブル３００を記憶している。
【００２５】
変動量テーブル３００は、一例として、図８に示すように、複数個の変動量情報を含んでいる。複数個の変動量情報は、それぞれ、相関値の範囲「０．９より大きい」、「０．８より大きく０．９以下」、「０．７より大きく０．８以下」、「０．６より大きく０．７以下」、「０．５より大きく０．６以下」に対応している。なお、相関値については、後述する。
【００２６】
各変動量情報は、範囲情報及び６個の変動量を含む。範囲情報は、上記の相関値の範囲を示す。６個の変動量は、それぞれ、調整回路１０８ａの可変コンデンサ１８２、１８４、１８６、調整回路１０８ｂの可変コンデンサ１８２、１８４、１８６に対応している。各変動量は、対応する可変コンデンサの静電容量を変動させるために用いられる。
調整回路１０８ａの可変コンデンサ１８２、１８４、１８６、調整回路１０８ｂの可変コンデンサ１８２、１８４、１８６については、後述する。
【００２７】
なお、この変動量テーブル３００に含まれる各変動量は、実測により得られたものである。
一例として、変動量情報３０１は、範囲情報３０２「０．８〜０．７」、変動量３０３「ｃ１７」、変動量３０４「ｃ２７」、変動量３０５「ｃ３７」、変動量３０６「ｃ４７」、変動量３０７「ｃ５７」及び変動量３０８「ｃ６７」を含んでいる。
【００２８】
相関値の範囲が０．７より大きく０．８以下である場合に、調整回路１０８ａの可変コンデンサ１８２、１８４、１８６及び調整回路１０８ｂの可変コンデンサ１８２、１８４、１８６に対して、それぞれ、変動量「ｃ１７」、「ｃ２７」、「ｃ３７」、「ｃ４７」、「ｃ５７」及び「ｃ６７」が出力される。
１．３  切断回路１０１
切断回路１０１は、制御部１０６の制御により、側面タッチセンサ１０４を起動し、又は、側面タッチセンサ１０４の動作を終了させる。
【００２９】
また、切断回路１０１は、制御部１０６の制御により、表面タッチセンサ１０３を起動し、又は、表面タッチセンサ１０３の動作を終了させる。
さらに、切断回路１０１は、制御部１０６の制御により、加速度センサ１０２を起動し、又は、加速度センサ１０２の動作を終了させる。
１．４  表面タッチセンサ１０３
表面タッチセンサ１０３は、二次元の表示面において、利用者の指等による接触位置を検出する二次元の静電容量センサである。指等が表面タッチセンサ１０３に接触すると、表面タッチセンサ１０３の静電容量が変化する。表面タッチセンサ１０３は、指等による接触位置を示す位置情報（二次元座標値）を制御部１０６に対して出力する。
【００３０】
１．５  加速度センサ１０２
加速度センサ１０２は、三軸加速度センサである。加速度センサ１０２は、携帯通信端末１００のＸ軸、Ｙ軸及びＺ軸方向の加速度を検出する。加速度センサ１０２は、検出されたＸ軸、Ｙ軸及びＺ軸方向のアナログの加速度をデジタル化する。次に、Ｘ軸、Ｙ軸及びＺ軸方向のデジタルの加速度を制御部１０６に対して出力する。
【００３１】
１．６  アンテナ１０７ａ及び１０７ｂ、調整回路１０８ａ及び１０８ｂ、並びに、無線部１１０ａ及び１１０ｂ
アンテナ１０７ａは、調整回路１０８ａを介して、無線部１１０ａに接続されている。調整回路１０８ａにより、アンテナ１０７ａからの経路のインピーダンスを変更することにより、そのアンテナ経路の特性が変更される。
【００３２】
無線部１１０ａは、アンテナ１０７ａにより受信した電波から、一例として、１．９ＧＨｚ帯の信号を選択する。次に、選択した信号をベースバンドのベースバンド受信信号に周波数変換し、増幅、ＡＤ変換等を行う。次に、得られた信号を処理部１１１に対して出力する。
調整回路１０８ａは、アンテナ１０７ａからの経路のインピーダンスを変更する回路である。調整回路１０８ａは、一例として、図９に示すように、接続端子１８０、インダクタ１８１、可変コンデンサ１８２、インダクタ１８３、可変コンデンサ１８４、インダクタ１８５、可変コンデンサ１８６及び接続端子１８７から構成されている。
【００３３】
接続端子１８０は、アンテナ１０７ａに接続されている。また、接続端子１８０は、インダクタ１８１の一端、可変コンデンサ１８２の一端、インダクタ１８３の一端及び可変コンデンサ１８４の一端に接続されている。インダクタ１８１の他端及び可変コンデンサ１８２の他端は、接地されている。
また、インダクタ１８３の他端、可変コンデンサ１８４の他端、インダクタ１８５の一端、可変コンデンサ１８６の一端は、それぞれ、接続端子１８７に接続されている。インダクタ１８５の他端及び可変コンデンサ１８６の他端は、接地されている。
【００３４】
さらに、接続端子１８７は、無線部１１０ａに接続されている。
可変コンデンサ１８２、可変コンデンサ１８４及び可変コンデンサ１８６は、それぞれ、制御部１０６から制御信号を受け取り、受け取った制御信号に応じて、静電容量を変化させる。
調整回路１０８ｂも、調整回路１０８ａと同一の構成を有している。
【００３５】
また、アンテナ１０７ｂは、調整回路１０８ｂを介して、無線部１１０ｂに接続されている。無線部１１０ｂは、アンテナ１０７ｂにより受信した電波から、一例として、１．９ＧＨｚ帯の信号を選択する。次に、選択した信号をベースバンドのベースバンド受信信号に周波数変換し、増幅、ＡＤ変換等を行う。次に、得られた信号を処理部１１１に対して出力する。
【００３６】
１．７  処理部１１１
処理部１１１は、無線部１１０ａ及び無線部１１０ｂからそれぞれ信号を受け取り、受け取った信号に対して、空間信号処理を行う。この結果、送信された複数の信号に相当する信号を制御部１０６に対して出力する。
また、処理部１１１は、相関計算部１１２を含んでいる。
【００３７】
相関計算部１１２は、希望波のＳＴＳ１の信号Ｓと希望波のＳＴＳ２の信号Ｒとの相関値を、以下の手順により、算出する。
（i ）相関計算部１１２は、変数Ａ、変数Ｂ及び変数Ｃを初期化する。
Ａ＝（０、０）、Ｂ＝０、Ｃ＝０
ここで、変数Ａは、複素数である。また、変数Ｂ及び変数Ｃは、実数である。
【００３８】
（ii）相関計算部１１２は、全てのアンテナのそれぞれについて、以下の（ａ）〜（ｅ）を繰り返す。
（ａ）当該アンテナにより受信した希望波のＳＴＳ１の受信信号Ｓ及び希望波のＳＴＳ２の受信信号Ｒを取得する。ＭＩＭＯによる通信を行う場合、通信相手局である送信装置が２本のアンテナを備えるとき、アンテナ１からはＳＴＳ１が出力され、アンテナ２からはＳＴＳ２が出力される。
【００３９】
（ｂ）相関計算部１１２は、Ｄ＝Ｓ・conj（Ｒ）を算出する。
ここで、conj（Ｘ）は、複素数Ｘの共役複素数である。
（ｃ）相関計算部１１２は、Ａ＝Ａ＋Ｄを算出する。
（ｄ）相関計算部１１２は、Ｂ＝Ｂ＋Ｒｅ［Ｓ］・Ｒｅ［Ｓ］＋Ｉｍ［Ｓ］・Ｉｍ［Ｓ］を算出する。
【００４０】
ここで、Ｒｅ［Ｘ］は、Ｘの実数部である。また、Ｉｍ［Ｘ］は、Ｘの虚数部である。
（ｅ）相関計算部１１２は、Ｃ＝Ｃ＋Ｒｅ［conj（Ｒ）］・Ｒｅ［conj（Ｒ）］
＋Ｉｍ［conj（Ｒ）］・Ｉｍ［conj（Ｒ）］を算出する。
（iii ）相関計算部１１２は、以下を算出する。
Ｅ  ＝  Ｒｅ［Ａ］・Ｒｅ［Ａ］  ＋  Ｉｍ［Ａ］・Ｉｍ［Ａ］
ここで、Ｅは、実数である。
【００４１】
（iv）相関計算部１１２は、以下を算出する。
相関値＝ｓｑｒｔ（Ｅ）／（ｓｑｒｔ（Ｂ）・ｓｑｒｔ（Ｃ））
ここで、ｓｑｒｔ（Ｘ）は、Ｘの平方根である。
このようにして、相関計算部１１２は、希望波の信号Ｓと希望波の信号Ｒとの相関値を算出する。
【００４２】
（v ）相関計算部１１２は、算出した相関値を制御部１０６に対して出力する。
上記においては、希望波のＳＴＳ１の受信信号Ｓ及び希望波のＳＴＳ２の受信信号Ｒを取得し、希望波のＳＴＳ１及び希望波のＳＴＳ２を用いて、相関値を算出している。しかし、これには限定されない。その他の信号を用いるとしてもよい。
１．８  制御部１０６
制御部１０６は、判断部１０６ａ及び比較部１０６ｂを含む。
【００４３】
制御部１０６は、送受信回路１０９を制御して、ＭＩＭＯによる通信を開始する。
（相関値の算出及びアンテナ経路のインピーダンスの変更の制御）
また、開始指示を受け取ると、制御部１０６は、以下に示すように、送受信回路１０９、調整回路１０８ａ及び調整回路１０８ｂに対して、相関値の算出と、アンテナ経路のインピーダンスの変更とをするように、制御する。
【００４４】
（i ）制御部１０６は、ＭＩＭＯによる通信を開始すると、記憶部１０５に記憶されている位置情報を初期化する。一例として、制御部１０６は、空白を位置情報として記憶部１０５に書き込む。次に、制御部１０６は、切断回路１０１を介して、側面タッチセンサ１０４を起動する。
（ii）制御部１０６は、側面タッチセンサ１０４から、利用者の指や掌等による側面パネル１０４ａ及び１０４ｂに対する接触位置を示す位置情報を受け取る。
【００４５】
（iii）次に、制御部１０６の判断部１０６ａは、記憶部１０５から位置情報を読み出し、読み出した位置情報と、受け取った位置情報とを比較する。言い換えると、利用者による接触位置の変化を検出する。これにより、判断部１０６ａは、側面タッチセンサ１０４により検出された前記接触位置を用いて、利用者による当該携帯通信端末１００の持ち方が変化したか否かを判断する。
【００４６】
（iii-1 ）読み出した位置情報と受け取った位置情報とが一致しない場合
この場合、判断部１０６ａは、利用者による当該携帯通信端末１００の持ち方が変化したと判断する。
（ａ）制御部１０６は、受け取った位置情報を、記憶部１０５に記憶されている位置情報に上書きする。
【００４７】
（ｂ）制御部１０６は、相関計算部１１２に対して、アンテナ間の相関値を計算するように制御し、相関計算部１１２から相関値を受け取る。
（ｃ）制御部１０６の比較部１０６ｂは、受け取った相関値が閾値より大きいか否かを判断する。ここで、閾値は、一例として、「０．５」である。
（c-1 ）比較部１０６ｂが受け取った相関値が閾値より大きいと判断する場合
制御部１０６は、調整回路１０８ａ及び調整回路１０８ｂに対して、それぞれのアンテナ経路のインピーダンスを変更するように制御する。
【００４８】
（c-2 ）比較部１０６ｂが受け取った相関値が閾値より小さいか又は閾値と等しいと判断する場合
制御部１０６は、相関値の算出及びインピーダンスの変更を終了する。
（iii-2 ）読み出した位置情報と受け取った位置情報とが一致する場合
この場合、判断部１０６ａは、利用者による当該携帯通信端末１００の持ち方が変化していないと判断する。
【００４９】
制御部１０６は、相関値の算出及びインピーダンスの変更を終了する。
（iv）制御部１０６は、ＭＩＭＯによる通信が終了しているか否かを判断する
（iv-1）ＭＩＭＯによる通信が終了していない場合
位置情報の検出、相関値の算出、インピーダンスの変更を繰り返す。
（iv-2）ＭＩＭＯによる通信が終了している場合
制御部１０６は、切断回路１０１を介して、側面タッチセンサ１０４の動作を終了させる。
【００５０】
これにより、相関値の算出及びアンテナ経路のインピーダンスの変更の動作を終了する。
（調整回路１０８ａ及び調整回路１０８ｂに対する制御）
制御部１０６は、調整回路１０８ａ及び調整回路１０８ｂに対して、以下に示すようにして、それぞれのアンテナ経路のインピーダンスを変更するように制御する。
【００５１】
制御部１０６は、相関計算部１１２から相関値を受け取る。次に、制御部１０６は、受け取った相関値を含む範囲情報を、変動量テーブル３００から選択する。次に、選択した範囲情報を含む変動量情報を、変動量テーブル３００から読み出す。次に、読み出した変動量情報から、６個の変動量を抽出する。
次に、制御部１０６は、調整回路１０８ａ及び調整回路１０８ｂに対して、抽出した変動量を出力し、それぞれのアンテナ経路のインピーダンスを変更するように制御する。
【００５２】
一例として、相関計算部１１２から受け取った相関値が「０．７５」である場合、制御部１０６は、変動量テーブル３００から、相関値「０．７５」を含む範囲情報３０２「０．８〜０．７」を選択する。次に、選択した範囲情報３０２「０．８〜０．７」を含む変動量情報３０１を読み出す。次に、読み出した変動量情報３０１から、変動量３０３「ｃ１７」、変動量３０４「ｃ２７」、変動量３０５「ｃ３７」、変動量３０６「ｃ４７」、変動量３０７「ｃ５７」及び変動量３０８「ｃ６７」を抽出する。
【００５３】
次に、制御部１０６は、抽出した変動量３０３「ｃ１７」、変動量３０４「ｃ２７」及び変動量３０５「ｃ３７」を調整回路１０８ａに対して出力する。また、抽出した変動量３０６「ｃ４７」、変動量３０７「ｃ５７」及び変動量３０８「ｃ６７」を調整回路１０８ｂに対して出力する。
調整回路１０８ａは、変動量３０３「ｃ１７」、変動量３０４「ｃ２７」及び変動量３０５「ｃ３７」分だけ、可変コンデンサ１８２、１８４及び１８６の静電容量を変化させる。また、調整回路１０８ｂは、変動量３０６「ｃ４７」、変動量３０７「ｃ５７」及び変動量３０８「ｃ６７」分だけ、可変コンデンサ１８２、１８４及び１８６の静電容量を変化させる。
【００５４】
１．９  携帯通信端末１００の動作
ＭＩＭＯによる通信時における携帯通信端末１００の動作について説明する。
（１）相関値の算出及びアンテナ経路のインピーダンスの変更
ＭＩＭＯによる通信時において、相関値を算出し、アンテナ経路のインピーダンスを変更する動作について、図１０に示すフローチャートを用いて説明する。
【００５５】
制御部１０６は、ＭＩＭＯによる通信を開始すると、記憶部１０５に記憶されている位置情報を初期化する。位置情報は、利用者の指や掌等による側面パネル１０４ａ及び１０４ｂに対する接触位置を示す（ステップＳ１０１）。
次に、制御部１０６は、切断回路１０１を介して、側面タッチセンサ１０４を起動する（ステップＳ１０２）。
【００５６】
次に、側面タッチセンサ１０４は、指や掌等による側面パネル１０４ａ及び１０４ｂに対する接触位置を検出する。制御部１０６は、接触位置を示す位置情報を受け取る（ステップＳ１０３）。
次に、制御部１０６の判断部１０６ａは、記憶部１０５から位置情報を読み出し、読み出した位置情報と受け取った位置情報とを比較する（ステップＳ１０４）。
【００５７】
読み出した位置情報と受け取った位置情報とが一致しない場合（ステップＳ１０４で「不一致」）、制御部１０６は、受け取った位置情報を、記憶部１０５に記憶されている位置情報に上書きする（ステップＳ１０５）。
次に、相関計算部１１２は、複数のアンテナにより受信した信号間の相関値を計算し、得られた相関値を制御部１０６に対して出力する（ステップＳ１０６）。
【００５８】
制御部１０６は、相関値を受け取り、比較部１０６ｂは、受け取った相関値が閾値より大きいか否かを判断する（ステップＳ１０７）。受け取った相関値が閾値より大きいと判断する場合（ステップＳ１０７で「ＮＯ」）、制御部１０６は、アンテナ経路のインピーダンスを変更するように制御する。調整回路１０８ａ及び調整回路１０８ｂは、制御部１０６の制御により、それぞれ、対応するアンテナ経路のインピーダンスを変化させる（ステップＳ１０８）。次に、ステップＳ１０６に戻って、処理を繰り返す。
【００５９】
受け取った相関値が閾値より小さいか又は閾値と等しいと判断する場合（ステップＳ１０７で「ＹＥＳ」）、制御部１０６は、ＭＩＭＯによる通信が終了しているか否かを判断する（ステップＳ１０９）。ＭＩＭＯによる通信が終了していない場合（ステップＳ１０９で「ＮＯ」）、ステップＳ１０３に戻って、処理を繰り返す。
ＭＩＭＯによる通信が終了している場合（ステップＳ１０９で「ＹＥＳ」）、制御部１０６は、切断回路１０１を介して、側面タッチセンサ１０４の動作を終了させる（ステップＳ１１０）。これにより、相関値を算出し、アンテナ経路のインピーダンスを変更する動作を終了する。
【００６０】
読み出した位置情報と受け取った位置情報とが一致している場合（ステップＳ１０４で「一致」）、制御部１０６は、ステップＳ１０９に戻って処理を繰り返す。
（２）相関値の算出の動作
相関計算部１１２により、希望波の信号Ｓと希望波の信号Ｒとの相関値を算出する動作について、図１１に示すフローチャートを用いて説明する。なお、ここで説明する動作は、図１０に示すステップＳ１０６の詳細である。
【００６１】
相関計算部１１２は、変数Ａ、変数Ｂ及び変数Ｃを初期化する。変数Ａ＝（０、０）、変数Ｂ＝０、変数Ｃ＝０。ここで、変数Ａは、複素数である。また、変数Ｂ及び変数Ｃは、実数である（ステップＳ１３１）。
次に、相関計算部１１２は、全てのアンテナのそれぞれについて、以下のステップＳ１３３〜Ｓ１３５を繰り返す（ステップＳ１３２〜Ｓ１３６）。
【００６２】
相関計算部１１２は、当該アンテナにより受信した希望波のＳＴＳ１の受信信号Ｓ及び希望波のＳＴＳ２の受信信号Ｒを取得する（ステップＳ１３３）。
相関計算部１１２は、Ｄ＝Ｓ・conj（Ｒ）を算出する。ここで、conj（Ｘ）は、複素数Ｘの共役複素数である。次に、相関計算部１１２は、Ａ＝Ａ＋Ｄを算出する（ステップＳ１３４）。
【００６３】
相関計算部１１２は、Ｂ＝Ｂ＋Ｒｅ［Ｓ］・Ｒｅ［Ｓ］＋Ｉｍ［Ｓ］・Ｉｍ［Ｓ］を算出する。ここで、Ｒｅ［Ｘ］は、Ｘの実数部である。また、Ｉｍ［Ｘ］は、Ｘの虚数部である。次に、相関計算部１１２は、Ｃ＝Ｃ＋Ｒｅ［conj（Ｒ）］・Ｒｅ［conj（Ｒ）］＋Ｉｍ［conj（Ｒ）］・Ｉｍ［conj（Ｒ）］を算出する（ステップＳ１３５）。
ステップＳ１３３〜Ｓ１３５における繰り返しが終了すると、相関計算部１１２は、Ｅ＝Ｒｅ［Ａ］・Ｒｅ［Ａ］＋Ｉｍ［Ａ］・Ｉｍ［Ａ］を算出する。ここで、Ｅは、実数である。次に、相関計算部１１２は、相関値＝ｓｑｒｔ（Ｅ）／（ｓｑｒｔ（Ｂ）・ｓｑｒｔ（Ｃ））を算出する。ここで、ｓｑｒｔ（Ｘ）は、Ｘの平方根である（ステップＳ１３７）。
【００６４】
次に、相関計算部１１２は、算出した相関値を制御部１０６に対して出力する（ステップＳ１３８）。
１．１０  まとめ
特許文献２により開示された技術によると、どの時点において、評価量を算出し、負荷インピーダンスを制御すべきか明らかでない。このため、利用者の使用状態が変化していない場合に、評価量の算出及び負荷インピーダンスの制御が行われたならば、これらの処理は、無駄であったこととなる。一方、利用者による使用状態が変化した場合に、評価量の算出及び負荷インピーダンスの制御が行われなかったならば、送受信特性の劣化が疑われる。
【００６５】
これに対し、携帯通信端末１００は、利用者の携帯通信端末１００に対する接触位置の変化を検出した場合に、複数のアンテナにより受信した信号間の相関値に応じて、アンテナ経路のインピーダンスを変更する。これにより、相関関係が変わって、通信品質を向上することができるという優れた効果を奏する。
２．変形例
本実施の形態１の変形例について、説明する。
【００６６】
（１）実施の形態１の変形例（１）としての相関値の算出及びアンテナ経路のインピーダンスの変更
変形例（１）として、相関値を算出し、アンテナ経路のインピーダンスを変更する動作について、図１２に示すフローチャートを用いて説明する。
制御部１０６は、ＭＩＭＯによる通信を開始すると、記憶部１０５に記憶されている時刻情報及び加速度情報からなる全ての組を初期化する。具体的には、時刻情報及び加速度情報からなる組として空白を書き込む。加速度情報は、加速度センサ１０２により検出された携帯通信端末１００のＸ軸、Ｙ軸及びＺ軸方向の加速度を示す（ステップＳ１４１）。
【００６７】
次に、制御部１０６は、切断回路１０１を介して、加速度センサ１０２を起動する（ステップＳ１４２）。
次に、加速度センサ１０２は、携帯通信端末１００の加速度を検出し、加速度を示す加速度情報を生成し、生成した加速度情報を出力する。制御部１０６は、加速度情報を受け取る（ステップＳ１４３）。
【００６８】
制御部１０６は、加速度情報と、当該加速度が検出された時点を示す時刻情報とを対応付けて、記憶部１０５に書き込む（ステップＳ１４４）。
制御部１０６の判断部１０６ａは、携帯通信端末１００の動きが停止したか否かを判断する。
一例として、判断部１０６ａは、最新の時刻情報と共に記憶されている加速度情報が零を示し、かつ、一定時間前の時刻情報と共に記憶されている加速度情報が正又は負の値を示すか、判断する。このとき、最新の加速度が零であり、かつ、一定時間前の加速度が正又は負の値であるなら、携帯通信端末１００の動きが停止したと判断する。ここで、一定時間前とは、一例として、１秒前である。言い換えると、判断部１０６ａは、検出された加速度が零であり、直前に検出された加速度が正又は負の値である場合に、携帯通信端末１００の動きが停止したと判断する（ステップＳ１４５）。
【００６９】
携帯通信端末１００の動きが停止したと判断される場合（ステップＳ１４５で「ＹＥＳ」）、相関計算部１１２は、複数のアンテナにより受信した信号間の相関値を計算し、得られた相関値を制御部１０６に対して出力する（ステップＳ１４６）。
制御部１０６は、相関値を受け取り、比較部１０６ｂは、受け取った相関値が閾値より大きいか否かを判断する（ステップＳ１４７）。受け取った相関値が閾値より大きいと判断する場合（ステップＳ１４７で「ＮＯ」）、制御部１０６は、調整回路１０８ａ及び調整回路１０８ｂに対して、それぞれのアンテナ経路のインピーダンスを変更するように制御する。調整回路１０８ａ及び調整回路１０８ｂは、それぞれ、対応するアンテナ経路のインピーダンスを変化させる（ステップＳ１４８）。次に、ステップＳ１４６に戻って、処理を繰り返す。
【００７０】
受け取った相関値が閾値より小さいか又は閾値と等しいと判断する場合（ステップＳ１４７で「ＹＥＳ」）、制御部１０６は、ＭＩＭＯによる通信が終了しているか否かを判断する（ステップＳ１４９）。ＭＩＭＯによる通信が終了していない場合（ステップＳ１４９で「ＮＯ」）、ステップＳ１４３に戻って、処理を繰り返す。
ＭＩＭＯによる通信が終了している場合（ステップＳ１４９で「ＹＥＳ」）、制御部１０６は、切断回路１０１を介して、加速度センサ１０２の動作を終了させる（ステップＳ１５０）。これにより、相関値を算出しアンテナ経路のインピーダンスを変更する動作を終了する。
【００７１】
携帯通信端末１００の動きが停止したと判断されない場合（ステップＳ１４５で「ＮＯ」）、制御部１０６は、ステップＳ１４９に戻って処理を繰り返す。
（２）実施の形態１の変形例（２）としての相関値の算出及びアンテナ経路のインピーダンスの変更
変形例（２）として、相関値を算出し、アンテナ経路のインピーダンスを変更する動作について、図１３に示すフローチャートを用いて説明する。
【００７２】
制御部１０６は、ＭＩＭＯによる通信を開始すると、記憶部１０５に記憶されている位置情報を初期化する。位置情報は、利用者の指や掌等による側面パネル１０４ａ及び１０４ｂに対する接触位置を示す（ステップＳ１６１）。
次に、制御部１０６は、切断回路１０１を介して、側面タッチセンサ１０４を起動する（ステップＳ１６２）。
【００７３】
次に、制御部１０６は、記憶部１０５に記憶されている変更回数を「０」に初期化する（ステップＳ１６３）。
次に、側面タッチセンサ１０４は、指や掌等による側面パネル１０４ａ、１０４ｂに対する接触位置を検出する。制御部１０６は、接触位置を示す位置情報を受け取る（ステップＳ１６４）。
【００７４】
次に、制御部１０６の判断部１０６ａは、記憶部１０５から位置情報を読み出し、読み出した位置情報と受け取った位置情報とを比較する（ステップＳ１６５）。
読み出した位置情報と受け取った位置情報とが一致しない場合（ステップＳ１６５で「不一致」）、制御部１０６は、受け取った位置情報を、記憶部１０５に記憶されている位置情報に上書きする（ステップＳ１６６）。
【００７５】
次に、制御部１０６は、記憶部１０５から変更回数を読み出す（ステップＳ１６７）。
次に、制御部１０６は、読み出した変更回数が規定値を超えているか否かを判断する。ここで、規定値は、一例として、「５」である（ステップＳ１６８）。
読み出した変更回数が規定値を超えていないと判断する場合（ステップＳ１６８で「ＮＯ」）、相関計算部１１２は、複数のアンテナにより受信した信号間の相関値を計算する。次に、得られた相関値を制御部１０６に対して出力する（ステップＳ１６９）。
【００７６】
次に、制御部１０６は、相関値を受け取り、受け取った相関値に対応付けて、現在の調整回路１０８ａ及び１０８ｂの設定値を、記憶部１０５に書き込む。ここで、設定値とは、各調整回路における各可変コンデンサの現時点において設定されたインピーダンスである（ステップＳ１７０）。
次に、制御部１０６の比較部１０６ｂは、受け取った相関値が閾値より大きいか否かを判断する（ステップＳ１７１）。受け取った相関値が閾値より大きいと判断する場合（ステップＳ１７１で「ＮＯ」）、制御部１０６は、調整回路１０８ａ及び調整回路１０８ｂに対して、それぞれのアンテナ経路のインピーダンスを変更するように制御する。調整回路１０８ａ及び調整回路１０８ｂは、それぞれ、対応するアンテナ経路のインピーダンスを変化させる（ステップＳ１７２）。次に、制御部１０６は、記憶部１０５に記憶されている変更回数に「１」を加算する（ステップＳ１７３）。次に、ステップＳ１６８に戻って、処理を繰り返す。
【００７７】
読み出した変更回数が規定値を超えていると判断する場合（ステップＳ１６８で「ＹＥＳ」）、制御部１０６は、最も低い相関値に対応するインピーダンスの設定値を記憶部１０５から読み出す。次に、読み出したインピーダンスの設定値により、アンテナ経路のインピーダンスを変更するように、調整回路１０８ａ及び１０８ｂを制御する（ステップＳ１７４）。次に、制御部１０６は、ＭＩＭＯによる通信が終了しているか否かを判断する（ステップＳ１７５）。ＭＩＭＯによる通信が終了していない場合（ステップＳ１７５で「ＮＯ」）、制御部１０６は、ステップＳ１６３に戻って、処理を繰り返す。
【００７８】
受け取った相関値が閾値より小さいか又は閾値と等しいと判断する場合（ステップＳ１７１で「ＹＥＳ」）、制御部１０６は、ステップＳ１７５に戻って、処理を繰り返す。
ＭＩＭＯによる通信が終了している場合（ステップＳ１７５で「ＹＥＳ」）、制御部１０６は、切断回路１０１を介して、側面タッチセンサ１０４の動作を終了させる（ステップＳ１７６）。これにより、相関値を算出し、アンテナ経路のインピーダンスを変更する動作を終了する。
【００７９】
読み出した位置情報と受け取った位置情報とが一致している場合（ステップＳ１６５で「一致」）、制御部１０６は、ステップＳ１７５に戻って処理を繰り返す。
（３）実施の形態１の変形例（３）としての相関値の算出及びアンテナ経路のインピーダンスの変更
変形例（３）として、相関値を算出し、アンテナ経路のインピーダンスを変更する動作について、図１４に示すフローチャートを用いて説明する。
【００８０】
制御部１０６は、ＭＩＭＯによる通信を開始すると、記憶部１０５に記憶されている時刻情報及び加速度情報からなる全ての組を初期化する。具体的には、時刻情報及び加速度情報からなる組として空白を書き込む。加速度情報は、加速度センサ１０２により検出された携帯通信端末１００のＸ軸、Ｙ軸及びＺ軸方向の加速度を示す（ステップＳ２００）。
【００８１】
次に、制御部１０６は、切断回路１０１を介して、加速度センサ１０２を起動する（ステップＳ２０１）。
次に、制御部１０６は、記憶部１０５に記憶されている変更回数を「０」に初期化する（ステップＳ２０２）。
次に、加速度センサ１０２は、携帯通信端末１００の加速度を検出し、加速度を示す加速度情報を生成し、生成した加速度情報を出力する。制御部１０６は、加速度情報を受け取る（ステップＳ２０３）。
【００８２】
制御部１０６は、加速度情報と当該加速度が検出された時点を示す時刻情報とを対応付けて、記憶部１０５に書き込む（ステップＳ２０４）。
制御部１０６の判断部１０６ａは、携帯通信端末１００の動きが停止したか否かを判断する。携帯通信端末１００の動きが停止したか否かの判断については、上述した通りである（ステップＳ２０５）。
【００８３】
携帯通信端末１００の動きが停止したと判断される場合（ステップＳ２０５で「ＹＥＳ」）、制御部１０６は、記憶部１０５から変更回数を読み出す（ステップＳ２０６）。
次に、制御部１０６は、読み出した変更回数が規定値を超えているか否かを判断する（ステップＳ２０７）。
読み出した変更回数が規定値を超えていないと判断する場合（ステップＳ２０７で「ＮＯ」）、相関計算部１１２は、複数のアンテナにより受信した信号間の相関値を計算する。次に、得られた相関値を制御部１０６に対して出力する（ステップＳ２０８）。
【００８４】
次に、制御部１０６は、相関値を受け取り、受け取った相関値に対応付けて、現在の調整回路１０８ａ及び１０８ｂの設定値を、記憶部１０５に書き込む（ステップＳ２０９）。
制御部１０６の比較部１０６ｂは、受け取った相関値が閾値より大きいか否かを判断する（ステップＳ２１０）。受け取った相関値が閾値より大きいと判断する場合（ステップＳ２１０で「ＮＯ」）、制御部１０６は、調整回路１０８ａ及び調整回路１０８ｂに対して、それぞれのアンテナ経路のインピーダンスを変更するように制御する。調整回路１０８ａ及び調整回路１０８ｂは、それぞれ、対応するアンテナ経路のインピーダンスを変化させる（ステップＳ２１１）。次に、制御部１０６は、記憶部１０５に記憶されている変更回数に「１」を加算する（ステップＳ２１２）。次に、ステップＳ２０７に戻って、処理を繰り返す。
【００８５】
読み出した変更回数が規定値を超えていると判断する場合（ステップＳ２０７で「ＹＥＳ」）、制御部１０６は、最も低い相関値に対応するインピーダンスの設定値を記憶部１０５から読み出す。次に、読み出したインピーダンスの設定値により、アンテナ経路のインピーダンスを変更するように、調整回路を制御する（ステップＳ２１３）。次に、制御部１０６は、ＭＩＭＯによる通信が終了しているか否かを判断する（ステップＳ２１４）。ＭＩＭＯによる通信が終了していない場合（ステップＳ２１４で「ＮＯ」）、制御部１０６は、ステップＳ２０２に戻って、処理を繰り返す。
【００８６】
受け取った相関値が閾値より小さいか又は閾値と等しいと判断する場合（ステップＳ２１０で「ＹＥＳ」）、制御部１０６は、ステップＳ２１４に戻って、処理を繰り返す。
ＭＩＭＯによる通信が終了している場合（ステップＳ２１４で「ＹＥＳ」）、制御部１０６は、切断回路１０１を介して、加速度センサ１０２の動作を終了させる（ステップＳ２１５）。これにより、相関値を算出し、アンテナ経路のインピーダンスを変更する動作を終了する。
【００８７】
携帯通信端末１００の動きが停止したと判断されない場合（ステップＳ２０５で「ＮＯ」）、制御部１０６は、ステップＳ２１４に戻って処理を繰り返す。
２．実施の形態２
本発明の実施の形態２としての携帯通信端末１００ｂについて説明する。
携帯通信端末１００ｂは、携帯通信端末１００ａと同様の構成を有している。ここでは、携帯通信端末１００ａとの相違点を中心として説明する。
【００８８】
携帯通信端末１００ｂは、携帯通信端末１００ａと同様に、複数のアンテナを用いて通信を行う小型の通信端末装置である。
携帯通信端末１００ｂは、利用者による持ち方及び携帯通信端末１００ｂから見た送信端末の方向に応じて、アンテナ経路のインピーダンスの適切な変動量を記憶している。
携帯通信端末１００ｂは、利用者によりどのような持ち方をされているかを判断する。これにより、携帯通信端末１００ｂは、利用者による当該携帯通信端末１００ｂの持ち方を特定する。具体的には、携帯通信端末１００ｂは、側面タッチセンサ１０４により利用者による接触位置を検出し、検出された接触位置を用いて、前記持ち方を特定する。
【００８９】
次に、携帯通信端末１００ｂは、前記複数のアンテナにより受信した信号間の相関値を計算し、計算により得られた前記相関値と閾値とを比較する。次に、前記相関値が前記閾値より大きい場合に、特定された持ち方に対応する各アンテナ経路のインピーダンスの変動量を取得し、取得した前記変動量により、各アンテナ経路のインピーダンスを変更する。この場合に、携帯通信端末１００ｂは、当該携帯通信端末１００ｂから見て送信装置が第１の方向に存在する場合における前記変動量を取得する。
【００９０】
次に、前記変動量により、各アンテナ経路のインピーダンスが変更された後において、携帯通信端末１００ｂは、さらに、前記複数のアンテナにより受信した信号間の第２相関値を計算し、計算により得られた前記第２相関値と前記閾値とを比較する。前記第２相関値が前記閾値より大きい場合に、携帯通信端末１００ｂは、さらに、当該携帯通信端末１００ｂから見て送信装置が第２の方向に存在する場合における第２変動量を取得する。携帯通信端末１００ｂは、さらに、取得した前記第２変動量により、各アンテナ経路のインピーダンスを変更する。
【００９１】
このように、携帯通信端末１００ｂは、特定された持ち方に応じて、アンテナ経路のインピーダンスを変更する。また、利用者による持ち方に応じて、かつ、携帯通信端末から見た場合の送信装置の存在する方向に応じて、各アンテナ経路のインピーダンスを変更する。この結果として、アンテナ経路の特性を変更する。さらには、これにより、相関関係が変わって、通信品質を向上することができる。
【００９２】
（１）接触タイプ情報テーブル５００
記憶部１０５は、予め、一例として、図１５に示す接触タイプ情報テーブル５００を保持している。接触タイプ情報テーブル５００は、利用者による携帯通信端末１００ｂの持ち方のタイプを識別するために用いられるデータテーブルである。接触タイプ情報テーブル５００は、この図に示すように、複数の接触タイプ情報を含んでいる。各接触タイプ情報は、利用者による携帯通信端末１００ｂの持ち方に対応している。利用者による携帯通信端末１００ｂの持ち方については、上述した通りである。各接触タイプ情報は、タイプ識別子、左接触数及び右接触数を含む。
【００９３】
タイプ識別子は、当該接触タイプ情報を識別する識別子である。従って、利用者による携帯通信端末１００ｂの持ち方を識別する識別子でもある。
左接触数は、対応するタイプ識別子により識別される持ち方をされた場合に、側面パネル１０４ｂにおいて、検出されるであろう利用者の指や掌等の接触位置の数を示す。右接触数は、対応するタイプ識別子により識別される持ち方をされた場合に、側面パネル１０４ａにおいて、検出されるであろう利用者の指や掌等の接触位置の数を示す。
【００９４】
図１５に示すように、接触タイプ情報テーブル５００は、一例として、接触タイプ情報５０１、５０２、５０３及び５０４を含んでいる。
接触タイプ情報５０１は、タイプ識別子「Ａ」、左接触数「２」及び右接触数「４」を含んでいる。従って、この場合においては、側面パネル１０４ｂに、２個の接触位置で接触し、側面パネル１０４ａに、４個の接触位置で接触していることを示している。従って、接触タイプ情報５０１は、一例として、図４に示す持ち方に対応している。また、図４に示す持ち方は、タイプ識別子「Ａ」により識別される。
【００９５】
次に、接触タイプ情報５０２は、タイプ識別子「Ｂ」、左接触数「２」及び右接触数「２」を含んでいる。従って、この場合においては、側面パネル１０４ｂに、２個の接触位置で接触し、側面パネル１０４ａに、２個の接触位置で接触していることを示している。従って、接触タイプ情報５０２は、一例として、図５に示す持ち方に対応している。また、図５に示す持ち方は、タイプ識別子「Ｂ」により識別される。
【００９６】
次に、接触タイプ情報５０３は、タイプ識別子「Ｃ」、左接触数「１」及び右接触数「３」を含んでいる。従って、この場合においては、側面パネル１０４ｂに、１個の接触位置で接触し、側面パネル１０４ａに、３個の接触位置で接触していることを示している。従って、接触タイプ情報５０３は、一例として、図６に示す持ち方に対応している。また、図６に示す持ち方は、タイプ識別子「Ｃ」により識別される。
【００９７】
最後に、接触タイプ情報５０４は、タイプ識別子「Ｄ」、左接触数「０」及び右接触数「０」を含んでいる。従って、この場合においては、側面パネル１０４ｂ及び側面パネル１０４ａには、人の指や掌等が接触していないことを示している。従って、接触タイプ情報５０１は、一例として、図７に示す持ち方に対応している。また、図７に示す持ち方は、タイプ識別子「Ｄ」により識別される。
【００９８】
このように、側面パネル１０４ｂ及び側面パネル１０４ａにおける接触位置の数は、おおよそ、利用者による携帯通信端末１００ｂの持ち方に対応していると推定される。このため、側面パネル１０４ｂ及び側面パネル１０４ａにおいてそれぞれ検出される接触位置の数を、接触タイプ情報テーブル５００に含まれる左接触数及び右接触数と照合することにより、利用者による携帯通信端末１００ｂの持ち方を推定することができる。
【００９９】
（２）携帯通信端末１００ｂと送信装置との位置関係
携帯通信端末１００ｂと送信装置との位置関係を示す複数のケースを図１６に示す。この図において、各ケースは、携帯通信端末１００ｂから見て、送信装置がどの方向に配置されているかを示している。ここで、携帯通信端末１００ｂは、水平に置かれているものとする。なお、携帯通信端末１００ｂ及び各ケースの送信装置は、携帯通信端末１００ｂが出荷される前に、この図に示すように実験的に配置されたものであり、現実に商用の通信を行う場面における配置ではない。
【０１００】
図１６に示す（ケース１）では、携帯通信端末１００ｂのＸ軸、ほぼ正方向に、送信装置５５１が配置されている。（ケース２）では、原点を起点として、Ｘ軸から約４５度の方向に、送信装置５５２が配置されている。（ケース３）では、携帯通信端末１００ｂのＹ軸、ほぼ正方向に、送信装置５５３が配置されている。（ケース４）では、原点を起点として、Ｘ軸から約１３５度の方向に、送信装置５５４が配置されている。（ケース５）では、携帯通信端末１００ｂのＸ軸、ほぼ負方向に、送信装置５５５が配置されている。（ケース６）では、原点を起点として、Ｘ軸から約−１３５度の方向に、送信装置５５６が配置されている。（ケース７）では、携帯通信端末１００ｂのＹ軸、ほぼ負方向に、送信装置５５７が配置されている。（ケース８）では、原点を起点として、Ｘ軸から約−４５度の方向に、送信装置５５８が配置されている。また、どのケースにおいても、各送信装置は、ほぼ、Ｘ−Ｙ平面上に配置されているものとする。
【０１０１】
ここで、（ケース１）、（ケース２）、・・・、（ケース８）を、それぞれ、環境識別子「１」、「２」、・・・、「８」により識別する。
なお、上記において、携帯通信端末１００ｂから見て、８方向に送信装置が配置されているとしているが、これには限定されない。携帯通信端末１００ｂから見て、４方向に送信装置が配置されているとしてもよい。また、１２方向、１６方向、２４方向等に、送信装置が配置されているとしてもよい。
【０１０２】
（３）変動量テーブル６００
記憶部１０５は、図８に示す変動量テーブル３００に代えて、予め、図１７に示す変動量テーブル６００を保持している。
変動量テーブル６００は、一例として、図１７に示すように、複数個の変動量情報を含み、各変動量情報は、実施の形態１に記載した携帯通信端末１００の持ち方に対応している。各変動量情報は、タイプ識別子及び８個の環境別変動量情報を含む。
【０１０３】
タイプ識別子は、上述したように、利用者による携帯通信端末１００ｂの持ち方を識別する識別子である。
８個の環境別変動量情報は、それぞれ、上記の（ケース１）、（ケース２）、・・・、（ケース８）に対応している。
各環境別変動量情報は、環境識別子及び６個の変動量を含む。環境識別子は、上述したように、上記のケースを識別する識別子であり、携帯通信端末１００ｂから見て、送信装置がどの方向に配置されているかを示している。６個の変動量は、それぞれ、調整回路１０８ａの可変コンデンサ１８２、１８４、１８６、調整回路１０８ｂの可変コンデンサ１８２、１８４、１８６に対応している。各変動量は、対応する可変コンデンサに設定されるべき静電容量である。
【０１０４】
なお、この変動量テーブル６００に含まれる各変動量は、次の条件（ｉ）〜（iv）を満たすように、実験的に得られた値である。
（ｉ）タイプ識別子により識別される持ち方により、携帯通信端末１００ｂが利用者に保持されている。
（ii）環境識別子により識別されるケースのように、送信端末が配置されている。
【０１０５】
（iii)調整回路１０８ａの可変コンデンサ１８２、１８４、１８６、調整回路１０８ｂの可変コンデンサ１８２、１８４、１８６の静電容量を様々に変化させ、それぞれの場合において、複数のアンテナにより受信した信号間の相関値を計算する。
（iv）得られた相関値が最小となる場合における、調整回路１０８ａの可変コンデンサ１８２、１８４、１８６、調整回路１０８ｂの可変コンデンサ１８２、１８４、１８６の静電容量の値を、上記の変動量とする。
【０１０６】
一例として、図１７に示す変動量テーブル６００は、変動量情報６０１を含む。変動量情報６０１は、タイプ識別子６０２「Ａ」、環境別変動量情報６０３及びその他の環境別変動量情報を含む。また、環境別変動量情報６０３は、環境識別子「３」、変動量「ａ１３」、変動量「ａ２３」、変動量「ａ３３」、変動量「ａ４３」、変動量「ａ５３」及び変動量「ａ６３」を含む。
【０１０７】
このように、環境別変動量情報６０３は、タイプ識別子が「Ａ」であり、環境識別子が「３」である場合に、調整回路１０８ａの可変コンデンサ１８２、１８４、１８６及び調整回路１０８ｂの可変コンデンサ１８２、１８４、１８６に対して、それぞれ、静電容量として、変動量「ａ１３」、「ａ２３」、「ａ３３」、「ａ４３」、「ａ５３」及び「ａ６３」が出力されることを示している。
【０１０８】
言い換えると、図４に示す態様により携帯通信端末１００ｂが利用者により保持され、図１６の（ケース３）に示すように、送信端末が配置されている場合に、環境別変動量情報６０３を用いることにより、相関値が最小となるように、アンテナ１０７ａ及び１０７ｂの各経路のインピーダンスを設定することができる。
（４）制御部１０６
制御部１０６は、判断部１０６ａ、比較部１０６ｂ、特定部１０６ｃ、取得部１０６ｄ、初期化部１０６ｅ、設定部１０６ｆ及び終了部１０６ｇを含む。
【０１０９】
（初期化部１０６ｅ）
初期化部１０６ｅは、ＭＩＭＯによる通信を開始すると、記憶部１０５に記憶されている位置情報を初期化する。ここで、位置情報は、利用者の指や掌等による側面パネル１０４ａ及び１０４ｂに対する接触位置を示す。初期化部１０６ｅは、記憶部１０５に記憶されている繰返回数を「０」に初期化する。また、初期化部１０６ｅは、切断回路１０１を介して、側面タッチセンサ１０４を起動する。
【０１１０】
（判断部１０６ａ）
判断部１０６ａは、側面タッチセンサ１０４から接触位置を示す位置情報を受け取る。位置情報を受け取ると、判断部１０６ａは、記憶部１０５から記憶されている位置情報を読み出し、読み出した位置情報と受け取った位置情報とを比較する。
読み出した位置情報と受け取った位置情報とが一致する場合、制御部１０６は、通信の終了の判断に制御を移す。
【０１１１】
読み出した位置情報と受け取った位置情報とが一致しない場合、判断部１０６ａは、受け取った位置情報を、記憶部１０５に記憶されている位置情報に上書きする。
（特定部１０６ｃ）
判断部１０６ａにより、読み出した位置情報と受け取った位置情報とが一致しないと判断される場合、特定部１０６ｃは、以下に示すようにして、携帯通信端末１００ｂの利用者による持ち方のタイプを特定する。
【０１１２】
特定部１０６ｃは、側面パネル１０４ｂにおける接触位置の数（左接触数）をカウントし、側面パネル１０４ａにおける接触位置の数（右接触数）をカウントする。次に、特定部１０６ｃは、得られた左接触数及び右接触数と同じ左接触数及び右接触数を含む接触タイプ情報を接触タイプ情報テーブル５００から選択する。次に、特定部１０６ｃは、選択した接触タイプ情報からタイプ識別子を抽出し、抽出したタイプ識別子を出力する。
【０１１３】
（設定部１０６ｆ）
設定部１０６ｆは、以下の処理（ｉ）〜（iii)を繰返回数だけ繰り返す。ここで、繰返回数は、一例として、「８」である。繰返回数は、図１６に示すケースの数に等しく、変動量テーブル６００の各変動量情報に含まれる環境別変動量情報の数に等しい。
（ｉ）設定部１０６ｆは、相関値を計算するように、相関計算部１１２を制御する。
（ii）設定部１０６ｆは、相関計算部１１２から相関値を受け取り、受け取った相関値に対応付けて、現在の調整回路１０８ａ及び１０８ｂの設定値を、記憶部１０５に書き込む。ここで、設定値とは、各調整回路における各可変コンデンサの現時点において設定されたインピーダンスである。
（iii)設定部１０６ｆは、計算により得られた相関値と、閾値とを比較するように、比較部１０６ｂを制御する。
【０１１４】
（iii-1）相関値が閾値より小さいか、又は、相関値が閾値と等しい場合、設定部１０６ｆは、処理を終了する。
（iii-2）相関値が閾値より大きい場合、
（iii-2-1）設定部１０６ｆは、特定部１０６ｃからタイプ識別子を受け取る。次に、変動量テーブル６００のうち、受け取ったタイプ識別子を含む変動量情報から、順に、一つの環境別変動量情報を読み出すように、取得部１０６ｄを制御する。
【０１１５】
（iii-2-2）設定部１０６ｆは、読み出した環境別変動量情報に含まれる６個の変動量により、調整回路１０８ａ及び１０８ｂに対して、それぞれのアンテナ経路のインピーダンスを変更するように制御する。
（iv）処理（ｉ）〜（iii)が繰返回数だけ繰り返され、繰返しが終了した後に、相関値が閾値より大きいとき、設定部１０６ｆは、記憶している設定値のうち、最も低い相関値に対応する設定値により、インピーダンスを変更するように、調整回路１０８ａ及び１０８ｂを制御する。
【０１１６】
（終了部１０６ｇ）
終了部１０６ｇは、ＭＩＭＯによる通信が終了しているか否かを判断する。
ＭＩＭＯによる通信が終了していない場合、終了部１０６ｇは、上記の処理を繰り返す。
ＭＩＭＯによる通信が終了している場合、終了部１０６ｇは、切断回路１０１を介して、側面タッチセンサ１０４の動作を終了させる。
【０１１７】
これにより、相関値を算出し、アンテナ経路のインピーダンスを変更する動作を終了する。  
（５）相関値の算出及びアンテナ経路のインピーダンスの変更の動作
相関値を算出し、アンテナ経路のインピーダンスを変更する動作について、図１８に示すフローチャートを用いて説明する。
【０１１８】
制御部１０６の初期化部１０６ｅは、ＭＩＭＯによる通信を開始すると、記憶部１０５に記憶されている位置情報を初期化する。位置情報は、利用者の指や掌等による側面パネル１０４ａ及び１０４ｂに対する接触位置を示す（ステップＳ２６１）。
次に、制御部１０６の初期化部１０６ｅは、切断回路１０１を介して、側面タッチセンサ１０４を起動する（ステップＳ２６２）。
【０１１９】
次に、制御部１０６の初期化部１０６ｅは、記憶部１０５に記憶されている繰返回数を「０」に初期化する（ステップＳ２６３）。
次に、側面タッチセンサ１０４は、指や掌等による側面パネル１０４ａ、１０４ｂに対する接触位置を検出する。制御部１０６の判断部１０６ａは、接触位置を示す位置情報を受け取る（ステップＳ２６４）。
【０１２０】
次に、制御部１０６の判断部１０６ａは、記憶部１０５から位置情報を読み出し、読み出した位置情報と受け取った位置情報とを比較する（ステップＳ２６５）。
読み出した位置情報と受け取った位置情報とが一致しない場合（ステップＳ２６５で「不一致」）、制御部１０６の判断部１０６ａは、受け取った位置情報を、記憶部１０５に記憶されている位置情報に上書きする（ステップＳ２６６）。
【０１２１】
制御部１０６の特定部１０６ｃは、携帯通信端末の利用者による持ち方のタイプを特定する。特定したタイプを識別するタイプ識別子を出力する。持ち方のタイプの特定方法の動作については、後述する（ステップＳ２６７）。
次に、制御部１０６の設定部１０６ｆは、記憶部１０５から繰返回数を読み出す（ステップＳ２６８）。
【０１２２】
次に、制御部１０６の設定部１０６ｆは、読み出した繰返回数が「７」を超えているか否かを判断する（ステップＳ２６９）。
読み出した繰返回数が「７」を超えていないと判断する場合（ステップＳ２６９で「ＮＯ」）、相関計算部１１２は、複数のアンテナにより受信した信号間の相関値を計算する。次に、得られた相関値を制御部１０６に対して出力する（ステップＳ２７０）。
【０１２３】
次に、制御部１０６の設定部１０６ｆは、相関値を受け取り、受け取った相関値に対応付けて、現在の調整回路１０８ａ及び１０８ｂの設定値を、記憶部１０５に書き込む。ここで、設定値とは、各調整回路における各可変コンデンサの現時点において設定されたインピーダンスである（ステップＳ２７１）。
次に、制御部１０６の比較部１０６ｂは、受け取った相関値が閾値より大きいか否かを判断する（ステップＳ２７２）。受け取った相関値が閾値より大きいと判断する場合（ステップＳ１７２で「ＮＯ」）、制御部１０６の取得部１０６ｄは、変動量テーブル６００のうち、特定されたタイプ識別子を含む変動量情報から、順に、一つの環境別変動量情報を読み出す（ステップＳ２７３）。次に、制御部１０６の設定部１０６ｆは、読み出した環境別変動量情報に含まれる６個の変動量により、調整回路１０８ａ及び調整回路１０８ｂに対して、それぞれのアンテナ経路のインピーダンスを変更するように制御する。調整回路１０８ａ及び調整回路１０８ｂは、それぞれ、対応するアンテナ経路のインピーダンスを変化させる（ステップＳ２７４）。次に、制御部１０６の設定部１０６ｆは、記憶部１０５に記憶されている繰返回数に「１」を加算する（ステップＳ２７５）。次に、設定部１０６ｆは、ステップＳ２６９に戻って、処理を繰り返す。
【０１２４】
読み出した繰返回数が「７」を超えていると判断する場合（ステップＳ２６９で「ＹＥＳ」）、制御部１０６の設定部１０６ｆは、最も低い相関値に対応するインピーダンスの設定値を記憶部１０５から読み出す。次に、読み出したインピーダンスの設定値により、アンテナ経路のインピーダンスを変更するように、調整回路１０８ａ及び１０８ｂを制御する（ステップＳ１７４）。次に、制御部１０６の終了部１０６ｇは、ＭＩＭＯによる通信が終了しているか否かを判断する（ステップＳ２７７）。ＭＩＭＯによる通信が終了していない場合（ステップＳ２７７で「ＮＯ」）、制御部１０６は、ステップＳ２６３に戻って、処理を繰り返す。
【０１２５】
受け取った相関値が閾値より小さいか又は閾値と等しいと判断する場合（ステップＳ２７２で「ＹＥＳ」）、制御部１０６は、ステップＳ２７７に戻って、処理を繰り返す。
ＭＩＭＯによる通信が終了している場合（ステップＳ２７７で「ＹＥＳ」）、制御部１０６の終了部１０６ｇは、切断回路１０１を介して、側面タッチセンサ１０４の動作を終了させる（ステップＳ２７８）。これにより、相関値を算出し、アンテナ経路のインピーダンスを変更する動作を終了する。
【０１２６】
読み出した位置情報と受け取った位置情報とが一致している場合（ステップＳ２６５で「一致」）、制御部１０６は、ステップＳ２７７に戻って処理を繰り返す。
（５）持ち方のタイプの特定の動作
制御部１０６の特定部１０６ｃによる持ち方のタイプを特定する動作について、図１９に示すフローチャートを用いて説明する。なお、ここで説明する特定の動作は、図１８のステップＳ２６７の詳細である。
【０１２７】
特定部１０６ｃは、側面パネル１０４ｂにおける接触位置の数（左接触数）をカウントし（ステップＳ２９１）、側面パネル１０４ａにおける接触位置の数（右接触数）をカウントする（ステップＳ２９２）。次に、特定部１０６ｃは、得られた左接触数及び右接触数と同じ左接触数及び右接触数を含む接触タイプ情報を接触タイプ情報テーブル５００から選択する。次に、特定部１０６ｃは、選択した接触タイプ情報からタイプ識別子を抽出し、抽出したタイプ識別子を出力する（ステップＳ２９３）。
【０１２８】
（６）まとめ
上述したように、複数のアンテナを用いて通信を行う携帯通信端末１００ｂは、利用者による当該携帯通信端末１００ｂの持ち方を特定する特定部１０６ｃと、前記複数のアンテナにより受信した信号間の相関値を計算する相関計算部１１２と、計算により得られた前記相関値と閾値とを比較する比較部１０６ｂと、前記相関値が前記閾値より大きい場合に、特定された持ち方に対応する各アンテナ経路のインピーダンスの変動量を取得する取得部１０６ｄと、取得した前記変動量により、各アンテナ経路のインピーダンスを変更する調整回路１０８ａ、１０８ｂとを備える。
【０１２９】
この構成により、利用者による持ち方に応じて、インピーダンスを変更する。これにより、アンテナ経路の特性を変更することができる。さらには、これにより相関関係が変わって通信品質を向上することができるという優れた効果を奏する。
３．その他の変形例
なお、本発明を上記の実施の形態に基づいて説明してきたが、本発明は、上記の実施の形態に限定されないのはもちろんである。以下のような場合も本発明に含まれる。
【０１３０】
（１）上記の実施の形態においては、側面パネル１０４ａ及び１０４ｂは、それぞれ、携帯通信端末１００の筐体の長手方向の側板１３１及び１３３に設けられている。しかし、これには限定されない。
図２０に示すように、携帯通信端末１００ａの筐体を形成する全ての側板１３１、１３３、１３４及び１３５に、それぞれ、側面パネル１０４ａ、１０４ｂ、１０４ｃ及び１０４ｄが設けられている、としてもよい。側面パネル１０４ｃ及び１０４ｄは、側面パネル１０４ａ及び１０４ｂと同様に、基板と基板との間に、複数の導体を挟着して、形成されている。
【０１３１】
携帯通信端末１００ａは、側面タッチセンサ１０４を備え、側面タッチセンサ１０４は、側面パネル１０４ａ、１０４ｂ、１０４ｃ及び１０４ｄを含んでいる。側面タッチセンサ１０４は、伝導体である利用者の指や掌等による一軸方向の接触位置を検出する一次元の静電容量センサである。
なお、側面タッチセンサ１０４は、利用者の指や掌等による二次元の平面における接触位置を検出する二次元の静電容量センサであるとしてもよい。
【０１３２】
（２）本発明は、上記に示す装置を制御する制御方法であるとしてもよい。また、これらの制御方法をコンピュータにより実現するコンピュータプログラムであるとしてもよいし、前記コンピュータプログラムからなるデジタル信号であるとしてもよい。ここで、コンピュータプログラムは、所定の機能を達成するために、コンピュータに対する指令を示す命令コードが複数個組み合わされて構成されたものである。
【０１３３】
また、本発明は、前記コンピュータプログラム又は前記デジタル信号を記録しているコンピュータ読み取り可能な記録媒体であるとしてもよい。コンピュータ読み取り可能な記録媒体は、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどである。また、これらの記録媒体に記録されている前記コンピュータプログラム又は前記デジタル信号であるとしてもよい。
【０１３４】
また、本発明は、前記コンピュータプログラム又は前記デジタル信号を、電気通信回線、無線又は有線通信回線、インターネットを代表とするネットワーク、データ放送等を経由して伝送するものとしてもよい。
また、本発明は、マイクロプロセッサとメモリとを備えたコンピュータシステムであるとしてもよい。前記メモリは、上記コンピュータプログラムを記憶しており、前記マイクロプロセッサは、前記コンピュータプログラムに従って動作する。
【０１３５】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（３）上記実施の形態及び上記変形例をそれぞれ組み合わせるとしてもよい。
（４）本発明の実施の形態の一態様は、複数のアンテナを用いて通信を行う携帯通信端末であって、利用者による接触位置を検出する検出部と、前記接触位置が変化したか否かを判断する判断部と、前記接触位置が変化したと判断される場合に、前記複数のアンテナにより受信した信号間の相関値を計算する計算部と、計算により得られた前記相関値と閾値とを比較する比較部と、前記相関値が前記閾値より大きい場合に、各アンテナ経路のインピーダンスを変更する調整部とを備えることを特徴とする。
【０１３６】
この態様によると、利用者による携帯通信端末に対する接触位置の変化を検出した場合に、複数のアンテナにより受信した信号間の相関値に応じて、アンテナ経路のインピーダンスを変更する。これにより相関関係が変わって通信品質を向上することができるという優れた効果を奏する。
ここで、前記計算部は、さらに、前記調整部によりインピーダンスが変更された後、各アンテナにより受信した信号間の相関値を再度、計算し、前記比較部は、さらに、再度得られた前記相関値と前記閾値とを比較し、前記調整部は、さらに、再度得られた前記相関値が前記閾値より大きい場合に、各アンテナ経路のインピーダンスを変更し、再度得られた前記相関値が前記閾値より小さい又は前記閾値と等しい場合に、各アンテナ経路のインピーダンスの変更を行わないとしてもよい。
【０１３７】
この態様によると、インピーダンスが変更された各アンテナにより受信した信号間の相関値を再度、計算し、再度得られた前記相関値と前記閾値とを比較し、再度得られた前記相関値が前記閾値より大きい場合に、各アンテナ経路のインピーダンスを変更する。これにより、アンテナ経路の特性を変更することができる。さらには、これにより相関関係が変わって通信品質を向上することができるという優れた効果を奏する。
【０１３８】
ここで、前記携帯通信端末は、さらに、計算により得られる前記相関値が前記閾値よりも小さく又は前記閾値と等しくなるまで、前記相関値と前記閾値との比較及び各アンテナ経路のインピーダンスの変更を繰り返すように、前記比較部及び前記調整部を制御する制御部を含むとしてもよい。
この態様によると、計算により得られる前記相関値が前記閾値よりも小さく又は前記閾値と等しくなるまで、前記相関値と前記閾値との比較及び各アンテナ経路のインピーダンスの変更を繰り返すように制御する。これにより、アンテナ経路の特性を変更することができる。さらには、これにより相関関係が変わって通信品質を向上することができるという優れた効果を奏する。
【０１３９】
ここで、前記携帯通信端末は、さらに、前記相関値と前記閾値との比較及び各アンテナ経路のインピーダンスの変更を、規定された回数以内、繰り返すように、前記比較部及び前記調整部を制御し、規定された回数以内に、計算により得られる前記相関値が前記閾値よりも小さく又は前記閾値と等しくなる場合、それ以降の前記比較及び前記変更を停止させ、規定された回数の繰り返しの最後の計算により得られた前記相関値が前記閾値よりも大きい場合、繰り返しの中において算出された最も小さい相関値に対応して変更されたインピーダンスを設定するように、前記調整部を制御する制御部を含むとしてもよい。
【０１４０】
この態様によると、前記相関値と前記閾値との比較及び各アンテナ経路のインピーダンスの変更を、規定された回数以内、繰り返すように制御する。規定された回数以内に、計算により得られる前記相関値が前記閾値よりも小さく又は前記閾値と等しくなる場合、それ以降の前記比較及び前記変更を停止させる。規定された回数の繰り返しの最後の計算により得られた前記相関値が前記閾値よりも大きい場合、繰り返しの中において算出された最も小さい相関値に対応して変更されたインピーダンスを設定する。この結果、繰り返しが永遠に続くことはなく、規定された回数以内において、アンテナ経路の特性を変更することができる。さらには、これにより相関関係が変わって通信品質を向上することができるという優れた効果を奏する。
【０１４１】
ここで、前記判断部は、検出された前記接触位置と、直前に検出された接触位置とを比較することにより、接触位置の変化を判断するとしてもよい。
この態様によると、検出された前記接触位置と、直前に検出された接触位置とを比較することにより、接触位置の変化を判断するので、接触位置の変化を知ることができる。
ここで、前記検出部は、当該携帯通信端末の側面に設けられているとしてもよい。
【０１４２】
この態様によると、前記検出部は、当該携帯通信端末の側面に設けられている。携帯通信端末の側面は、利用者による接触がされやすいので、接触位置の変化を知るために、適切である。
ここで、前記携帯通信端末は、さらに、前記接触位置が変化したと判断される場合に、利用者による当該携帯通信端末の持ち方を特定する特定部と、前記相関値が前記閾値より大きい場合に、特定された持ち方に対応する各アンテナ経路のインピーダンスの変動量を取得する取得部とを含み、前記調整部は、取得した前記変動量により、各アンテナ経路のインピーダンスを変更するとしてもよい。
【０１４３】
この態様によると、利用者による持ち方に応じて、各アンテナ経路のインピーダンスを変更する。これにより、アンテナ経路の特性を変更することができる。さらには、これにより相関関係が変わって通信品質を向上することができるという優れた効果を奏する。
また、本発明の実施の形態の別の一態様は、複数のアンテナを用いて通信を行う携帯通信端末を制御する制御方法であって、利用者による接触位置を検出する検出ステップと、前記接触位置が変化したか否かを判断する判断ステップと、前記接触位置が変化したと判断される場合に、前記複数のアンテナにより受信した信号間の相関値を計算する計算ステップと、計算により得られた前記相関値と閾値とを比較する比較ステップと、前記相関値が前記閾値より大きい場合に、各アンテナ経路のインピーダンスを変更する調整ステップとを含むことを特徴とする。
【０１４４】
この態様の制御方法を携帯通信端末の制御において用いることにより、利用者による携帯通信端末に対する接触位置の変化を検出した場合に、複数のアンテナにより受信した信号間の相関値に応じて、アンテナ経路のインピーダンスを変更する。これにより、アンテナ経路の特性を変更することができる。さらには、これにより相関関係が変わって通信品質を向上することができるという優れた効果を奏する。
【０１４５】
また、本発明の実施の形態の別の一態様は、複数のアンテナを用いて通信を行う携帯通信端末を制御する制御用のコンピュータプログラムを記録しているコンピュータ読取可能な記録媒体であって、前記コンピュータプログラムは、コンピュータである前記携帯通信端末に、前記接触位置が変化したか否かを判断する判断ステップと、前記接触位置が変化したと判断される場合に、前記複数のアンテナにより受信した信号間の相関値を計算する計算ステップと、計算により得られた前記相関値と閾値とを比較する比較ステップとを実行させ、前記携帯通信端末は、前記相関値が前記閾値より大きい場合に、各アンテナ経路のインピーダンスを変更する調整部を備えることを特徴とする。
【０１４６】
この態様の記録媒体に記録されているコンピュータプログラムを携帯通信端末の制御において用いることにより、利用者による携帯通信端末に対する接触位置の変化を検出した場合に、複数のアンテナにより受信した信号間の相関値に応じて、アンテナ経路のインピーダンスを変更する。これにより、アンテナ経路の特性を変更することができる。さらには、これにより相関関係が変わって通信品質を向上することができるという優れた効果を奏する。
【０１４７】
また、本発明の実施の形態の別の一態様は、複数のアンテナを用いて通信を行う携帯通信端末であって、加速度を検出する加速度センサと、検出された前記加速度を用いて、当該携帯通信端末の動きが停止したか否かを判断する判断部と、当該携帯通信端末の動きが停止したと判断される場合に、前記複数のアンテナにより受信した信号間の相関値を計算する計算部と、計算により得られた前記相関値と閾値とを比較する比較部と、前記相関値が前記閾値より大きい場合に、各アンテナ経路のインピーダンスを変更する調整部とを備えることを特徴とする。
【０１４８】
この態様によると、検出された加速度を用いて、携帯通信端末の動きが停止したと判断した場合に、複数のアンテナにより受信した信号間の相関値に応じて、アンテナ経路のインピーダンスを変更する。これにより、アンテナ経路の特性を変更することができる。さらには、これにより相関関係が変わって通信品質を向上することができるという優れた効果を奏する。
【０１４９】
また、本発明の実施の形態の別の一態様は、複数のアンテナを用いて通信を行う携帯通信端末により用いられる制御方法であって、加速度を検出する加速度検出ステップと、検出された前記加速度を用いて、当該携帯通信端末の動きが停止したか否かを判断する判断ステップと、当該携帯通信端末の動きが停止したと判断される場合に、前記複数のアンテナにより受信した信号間の相関値を計算する計算ステップと、計算により得られた前記相関値と閾値とを比較する比較ステップと、前記相関値が前記閾値より大きい場合に、各アンテナ経路のインピーダンスを変更する調整ステップとを含むことを特徴とする。
【０１５０】
この態様の制御方法を携帯通信端末の制御において用いることにより、検出された加速度を用いて、携帯通信端末の動きが停止したと判断した場合に、複数のアンテナにより受信した信号間の相関値に応じて、アンテナ経路のインピーダンスを変更する。これにより、アンテナ経路の特性を変更することができる。さらには、これにより相関関係が変わって通信品質を向上することができるという優れた効果を奏する。
【０１５１】
また、本発明の実施の形態の別の一態様は、複数のアンテナを用いて通信を行う携帯通信端末で用いられる制御用のコンピュータプログラムを記録しているコンピュータ読取可能な記録媒体であって、前記コンピュータプログラムは、コンピュータである前記携帯通信端末に、加速度を検出する加速度センサにより検出された前記加速度を用いて、当該携帯通信端末の動きが停止したか否かを判断する判断ステップと、当該携帯通信端末の動きが停止したと判断される場合に、前記複数のアンテナにより受信した信号間の相関値を計算する計算ステップと、計算により得られた前記相関値と閾値とを比較する比較ステップとを実行させ、前記携帯通信端末は、前記相関値が前記閾値より大きい場合に、各アンテナ経路のインピーダンスを変更する調整部を備えることを特徴とする。
【０１５２】
この態様の記録媒体に記録されているコンピュータプログラムを携帯通信端末の制御において用いることにより、検出された加速度を用いて、携帯通信端末の動きが停止したと判断した場合に、複数のアンテナにより受信した信号間の相関値に応じて、アンテナ経路のインピーダンスを変更する。これにより、アンテナ経路の特性を変更することができる。さらには、これにより相関関係が変わって通信品質を向上することができるという優れた効果を奏する。
【０１５３】
また、本発明の実施の形態の別の一態様は、複数のアンテナを用いて通信を行う携帯通信端末であって、利用者による当該携帯通信端末の持ち方を特定する特定部と、前記複数のアンテナにより受信した信号間の相関値を計算する計算部と、計算により得られた前記相関値と閾値とを比較する比較部と、前記相関値が前記閾値より大きい場合に、特定された持ち方に対応する各アンテナ経路のインピーダンスの変動量を取得する取得部と、取得した前記変動量により、各アンテナ経路のインピーダンスを変更する調整部とを備えることを特徴とする。
【０１５４】
この態様によると、利用者による持ち方に応じて、各アンテナ経路のインピーダンスを変更する。これにより、アンテナ経路の特性を変更することができる。さらには、これにより相関関係が変わって通信品質を向上することができるという優れた効果を奏する。
ここで、前記取得部は、当該携帯通信端末から見て送信装置が第１の方向に存在する場合における前記変動量を取得し、各アンテナ経路のインピーダンスが変更された後において、前記計算部は、さらに、前記複数のアンテナにより受信した信号間の第２相関値を計算し、前記比較部は、さらに、計算により得られた前記第２相関値と前記閾値とを比較し、前記第２相関値が前記閾値より大きい場合に、前記取得部は、さらに、当該携帯通信端末から見て送信装置が第２の方向に存在する場合における第２変動量を取得し、前記調整部は、さらに、取得した前記第２変動量により、各アンテナ経路のインピーダンスを変更するとしてもよい。
【０１５５】
この態様によると、利用者による持ち方に応じて、かつ、携帯通信端末から見た場合の送信装置の存在する方向に応じた、各アンテナ経路のインピーダンスを変更することができる。
ここで、前記携帯通信端末は、さらに、利用者による接触位置を検出する検出部を含み、前記特定部は、検出された接触位置を用いて、前記持ち方を特定するとしてもよい。
【０１５６】
また、本発明の実施の形態の別の一態様は、複数のアンテナを用いて通信を行う携帯通信端末を制御する制御方法であって、利用者による当該携帯通信端末の持ち方を特定する特定ステップと、前記複数のアンテナにより受信した信号間の相関値を計算する計算ステップと、計算により得られた前記相関値と閾値とを比較する比較ステップと、前記相関値が前記閾値より大きい場合に、特定された持ち方に対応する各アンテナ経路のインピーダンスの変動量を取得する取得ステップと、取得した前記変動量により、各アンテナ経路のインピーダンスを変更する調整ステップとを含むことを特徴とする。
【０１５７】
この態様によると、利用者による持ち方に応じて、各アンテナ経路のインピーダンスを変更する。これにより、アンテナ経路の特性を変更することができる。さらには、これにより相関関係が変わって通信品質を向上することができるという優れた効果を奏する。
また、本発明の実施の形態の別の一態様は、複数のアンテナを用いて通信を行う携帯通信端末で用いられる制御用のコンピュータプログラムを記録しているコンピュータ読取可能な記録媒体であって、前記コンピュータプログラムは、コンピュータである前記携帯通信端末に、利用者による当該携帯通信端末の持ち方を特定する特定ステップと、前記複数のアンテナにより受信した信号間の相関値を計算する計算ステップと、計算により得られた前記相関値と閾値とを比較する比較ステップと、前記相関値が前記閾値より大きい場合に、特定された持ち方に対応する各アンテナ経路のインピーダンスの変動量を取得する取得ステップとを実行させ、前記携帯通信端末は、取得した前記変動量により、各アンテナ経路のインピーダンスを変更する調整部を備えることを特徴とする。
【０１５８】
この態様によると、利用者による持ち方に応じて、各アンテナ経路のインピーダンスを変更する。これにより、アンテナ経路の特性を変更することができる。さらには、これにより相関関係が変わって通信品質を向上することができるという優れた効果を奏する。
【産業上の利用可能性】
【０１５９】
本発明にかかる携帯通信端末は、利用者による携帯通信端末に対する接触位置の変化を検出した場合に、複数のアンテナにより受信した信号間の相関値に応じて、アンテナ経路のインピーダンスを変更する。これにより、アンテナ経路の特性を変更することができる。さらには、これにより相関関係が変わって通信品質を向上することができるという優れた効果を奏する。このため、複数のアンテナを用いて通信を行う携帯通信端末を制御する技術として有用である。
【符号の説明】
【０１６０】
１００    携帯通信端末
１０１    切断回路
１０２    加速度センサ
１０３    表面タッチセンサ
１０４    側面タッチセンサ
１０５    記憶部
１０６    制御部
１０６ａ  判断部
１０６ｂ  比較部
１０７ａ、１０７ｂ  アンテナ
１０８ａ、１０８ｂ  調整回路
１０９    送受信回路
１１０ａ、１１０ｂ  無線部
１１１    処理部
１１２    相関計算部
【図１】
2014138285.tif 000003
【図２】
2014138285.tif 000004
【図３】
2014138285.tif 000005
【図４】
2014138285.tif 000006
【図５】
2014138285.tif 000007
【図６】
2014138285.tif 000008
【図７】
2014138285.tif 000009
【図８】
2014138285.tif 000010
【図９】
2014138285.tif 000011
【図１０】
2014138285.tif 000012
【図１１】
2014138285.tif 000013
【図１２】
2014138285.tif 000014
【図１３】
2014138285.tif 000015
【図１４】
2014138285.tif 000016
【図１５】
2014138285.tif 000017
【図１６】
2014138285.tif 000018
【図１７】
2014138285.tif 000019
【図１８】
2014138285.tif 000020
【図１９】
2014138285.tif 000021
【図２０】
2014138285.tif 000022